(57)【要約】回線交換接続ユーザ機器へのＩＭＳ（ＩＰ  Ｍｕｌｔｉｍｅｄｉａ  Ｓｕｂｓｙｓｔｅｍ）サービスの性能を容易にする装置および関連する方法が提供されている。ユーザ機器は、ＵＳＳＤメッセージ生成器を含み、ＵＳＳＤメッセージ生成器は始動メッセージを生成し、始動メッセージは無線通信システムのネットワークに送信される。メッセージは、ネットワークを介してエントリにルーティングされ、エントリは、ＵＳＳＤメッセージをデコードしてＸＣＡＰメッセージを形成する。ＸＣＡＰメッセージは、ＸＣＡＰメッセージに応答して動作する関連サービスノードにルーティングされる。
2010530200.tif 000002
【特許請求の範囲】
【請求項１】
ＩＭＳ（ＩＰ  Ｍｕｌｔｉｍｅｄｉａ  Ｓｕｂｓｙｓｔｅｍ）サービスの提供を容易にする方法であって、該方法は、
ＵＥ（Ｕｓｅｒ  Ｅｑｕｉｐｍｅｎｔ）生成の始動メッセージを検出することであって、該始動メッセージはネットワークデコード可能な情報を有しており、該情報は、デコードされた場合、ネットワークサービス関連情報の管理がＩＭＳサービスに属することを可能にする、ことと、
該検出動作の間に検出された始動メッセージ内で識別された、ネットワークサービス関連情報の管理に応答して、始動応答メッセージを生成することと、ことと
の動作を含む、方法。
【請求項２】
前記検出動作の間に検出された前記ＵＥ生成の始動メッセージは、１つ以上のＵＳＳＤ（Ｕｎｓｔｒｕｃｔｕｒｅｄ  Ｓｕｐｐｌｅｍｅｎｔａｒｙ  Ｓｅｒｖｉｃｅ  Ｄａｔａ）を含む、請求項１に記載の方法。
【請求項３】
前記検出動作の間に検出された前記ＵＥ生成の始動メッセージは、要求タイプの識別を含む、請求項１に記載の方法。
【請求項４】
前記ＵＥ生成の始動メッセージは、デコードされたとき、ＸＣＡＰ（ＸＭＬ  Ｃｏｎｆｉｇｕｒａｔｉｏｎ  Ａｃｃｅｓｓ  Ｐｒｏｔｏｃｏｌ）メッセージを装着する、請求項１に記載の方法。
【請求項５】
前記ＵＥ生成の始動メッセージをデコーディングする前記動作をさらに含む、請求項１に記載の方法。
【請求項６】
前記デコーディングの動作は、ＵＥ生成の始動メッセージの辞書アシスト解凍を含む、請求項５に記載の方法。
【請求項７】
前記辞書アシスト解凍は、オクテット値をテキスト文字列にマッピングすることを含む、請求項６に記載の方法。
【請求項８】
空中（ＯＴＡ）信号発生に従った前記辞書アシスト解凍に従って使用される辞書を構成する動作をさらに含む、請求項６に記載の方法。
【請求項９】
前記ネットワークサービス関連情報の管理の動作をさらに含む、請求項１に記載の方法。
【請求項１０】
デコードされた場合、前記検出する動作に続いて、関連するサービスノードへＵＥ生成の始動メッセージを進める動作をさらに含む、請求項１に記載の方法。
【請求項１１】
前記生成の動作の間に生成された前記始動応答メッセージは、ＸＣＡＰ（ＸＭＬ  Ｃｏｎｆｉｇｕｒａｔａｉｏｎ  Ａｃｃｅｓｓ  Ｐｒｏｔｏｃｏｌ）メッセージを含む、請求項１に記載の方法。
【請求項１２】
前記ＸＣＡＰメッセージをエンコードする動作をさらに含む、請求項１１に記載の方法。
【請求項１３】
前記エンコードする動作は、前記ＸＣＡＰメッセージをＵＳＳＤ（Ｕｎｓｔｒｕｃｔｕｒｅｄ  Ｓｕｐｐｌｅｍｅｎｔａｒｙ  Ｓｅｒｖｉｃｅ  Ｄａｔａ）メッセージにエンコードすることを含む、請求項１２に記載の方法。
【請求項１４】
前記エンコードする動作は、前記ＸＣＡＰメッセージの辞書アシスト圧縮を含む、請求項１１に記載の方法。
【請求項１５】
前記検出動作の間に検出された前記ＵＥ生成の始動メッセージは、ＣＳ（回線交換）接続されたＵＥ生成始動メッセージを含む、請求項１に記載の方法。
【請求項１６】
前記ＩＭＳサービスは、ＩＭＳ集中型サービスを含む、請求項１に記載の方法。
【請求項１７】
前記ＵＥ生成始動メッセージの検出を受領確認する動作をさらに含む、請求項１に記載の方法。
【請求項１８】
ＩＭＳ（ＩＰマルチメディアサブシステム）サービスの提供を容易にする装置であって、該装置は、
ＵＥ（Ｕｓｅｒ  Ｅｑｕｉｐｍｅｎｔ）生成の始動メッセージを検出するように構成されている検出器であって、該始動メッセージは、ネットワークデコード可能な情報を有しており、デコードされた場合、ネットワークサービス関連情報の管理がＩＭＳサービスに属すことを可能にする、検出器と、
該検出器によって検出された始動メッセージ内で識別されたネットワークサービス関連情報の管理に応答して、始動応答メッセージを発生するように構成されている始動応答メッセージ生成器と
を含む、装置。
【請求項１９】
前記ユーザ機器生成の始動メッセージをデコードするように構成されているデコーダをさらに含む、請求項１６に記載の装置。
【請求項２０】
前記ユーザ機器生成の始動メッセージは、ＵＳＳＤ（Ｕｎｓｔｒｕｃｔｕｒｅｄ  Ｓｕｐｐｌｅｍｅｎｔａｒｙ  Ｓｅｒｖｉｃｅ  Ｄａｔａ）メッセージを含み、前記デコーダは、該ＵＳＳＤメッセージをデコードし、ＸＣＡＰ（ＸＭＬ  Ｃｏｎｆｉｇｕｒａｔｉｏｎ  Ａｃｃｅｓｓ  Ｐｒｏｔｏｃｏｌ）メッセージを装着するように構成されている、請求項１７に記載の装置。
【請求項２１】
前記検出器によって検出された前記ユーザ機器生成始動メッセージは、回線交換ユーザ機器生成始動メッセージを含む、請求項１８に記載の装置。
【請求項２２】
前記始動応答メッセージ生成器によって生成された前記始動応答メッセージは、ＵＳＳＤ（Ｕｎｓｔｒｕｃｔｕｒｅｄ  Ｓｕｐｐｌｅｍｅｎｔａｒｙ  Ｓｅｒｖｉｃｅ  Ｄａｔａ）メッセージを含む、請求項１８に記載の装置。
【請求項２３】
前記始動応答メッセージ生成器は、ＩＣＣＦにおいて実施される、請求項１８に記載の機器。
【請求項２４】
ＩＭＳ（ＩＰ  Ｍｕｌｔｉｍｅｄｉａ  Ｓｕｂｓｙｓｔｅｍ）サービスのＵＥ（Ｕｓｅｒ  Ｅｑｕｉｐｍｅｎｔ）への提供を容易にする方法であって、該方法は、
少なくとも１つの始動メッセージを該ＵＥから送信する動作であって、該始動メッセージはネットワークデコード可能な情報を有しており、該情報は、デコードされた場合、ネットワークサービス関連情報の管理が該ＩＭＳサービスに属すことを可能にする、送信動作と、
少なくとも１つの始動メッセージを該ＵＥにおいて受信する動作であって、該始動応答メッセージは、該送信動作の間に送られた該始動メッセージ内で識別されたネットワークサービス関連情報の管理に応答して生成されている、受信動作と
を含む、方法。
【請求項２５】
前記少なくとも１つの始動応答メッセージを受領する動作をさらに含む、請求項２４に記載の方法。
【請求項２６】
ＩＭＳ（ＩＰ  Ｍｕｌｔｉｍｅｄｉａ  Ｓｕｂｓｙｓｔｅｍ）サービスのＵＥ（Ｕｓｅｒ  Ｅｑｕｉｐｍｅｎｔ）への提供を容易にする装置であって、該装置は、
少なくとも１つの始動メッセージを送信するように構成された始動メッセージ送信部であって、該始動メッセージ送信部によって送信された該始動メッセージは、ネットワークデコード可能な情報を有しており、該ネットワークデコード可能な情報は、デコードされた場合、ネットワークサービス関連情報の管理がＩＭＳサービスに属すことを可能にする、始動メッセージ送信部と、
少なくとも１つの始動応答メッセージを受信するように構成された受信器であって、該始動応答メッセージは、該始動メッセージ送信器によって送信された該始動メッセージ内で識別されたネットワークサービス関連情報の管理に応答して生成されている、受信器と
を含む、装置。
【発明の詳細な説明】
【技術分野】
【０００１】
本発明は、概して、ＩＭＳ（ＩＰ  Ｍｕｌｔｉｍｅｄｉａ  Ｓｕｂｓｙｓｔｅｍ）ホスト通信サービスを回線交換無線デバイスに提供する方法に関する。より詳細には、本発明は、装置および関連する方法に関し、それによって、回線交換無線デバイスがＩＭＳサービスを構成することを可能にする。
【０００２】
ネットワークサービス関連情報の管理は、無線デバイスによるＵＳＳＤ、ＳＭＳ、あるいは、他の始動メッセージを通して無線デバイスによって始動される。始動メッセージは、ネットワークにおいてデコードされ、構成プロセスに従って、関連したサービス（ＡＳ）ノードによって使用され得るＸＣＡＰメッセージを形成する。
【背景技術】
【０００３】
技術的進歩の結果として、社会において多くの変化が引き起こされて来た。通信技術での進歩は、例えば、情報を通信局間で通信し得る通信サービスの利用可能性およびタイプを非常に増加させてきた。多分、モバイルの使用を通して提供されたサービスのようなラジオ通信サービスにおけるよりも、明白な改良された能力はどこにも存在しない。モバイル局は、セルラーあるいはセルラー様の通信ネットワークと共に伝統的に利用されている。回線交換方式音声通信のために、モバイル局が一般に最初に知られ、使用され、増加し、より多くのデータ集約通信サービスが、新世代モバイル局によってあるいはそれと共に提供されている。
【０００４】
パケット交換技術、マルチメディアおよび他のデータ集約技術を通して、通信サービスが実行されている。パケット交換サービスおよび、パケット交換データがルーティングされるネットワークエンティティは、ネットワークエンティティでさまざまに異なり、回線交換データが回線交換通信サービスに従って通信される通信経路がルーティングされる。モバイル局は現在定期的に、パケット交換通信に従う動作、および回線交換通信に従う動作を両方共可能にするように構成されている。音声通信もまた、パケット交換接続を用いて実行され得る。
【０００５】
モバイル局が、回線交換通信およびパケット交換通信に従って定期的に通信できる能力にもかかわらず、さまざまな理由のために、モバイル局はパケット交換サービスに従って受信あるいは、通信することができない可能性がある。モバイル局は、事実ならば、パケット交換互換ではないことがあり得る。あるいは、モバイル局が、従って動作する契約は、パケット交換データのその受信を許容していないことになる。あるいは、たとえモバイル局がパケット交換互換であっても、パケット交換方式ネットワークは、通信サービスに従って通信されるべき特定の媒体をサポートしない可能性がある。さらに、たとえモバイル局がパケット交換互換であっても、ユーザプリファレンスは回線交換接続を利用する可能性がある。あるいは、オペレータのあるいは他の方針がパケット交換アクセスを禁止している可能性がある。
【０００６】
従って、ＩＭＳ（ＩＰ  Ｍｕｌｔｉｍｅｄｉａ  Ｓｕｂｓｙｓｔｅｍ）サービスのようなパケット交換サービスが実行されるべき、あるいは実行されることが望ましいときに、モバイル局が通信ネットワークと回線交換接続で接続される状況の定期的な発生がある。そのように接続されたモバイル局は、本明細書ではＩＣＳ  ＵＥ（ＩＭＳ  Ｃｉｒｃｕｉｔ−Ｓｗｉｔｃｈｅｄ  Ｕｓｅｒ  Ｅｑｕｉｐｍｅｎｔ）という。ネットワーク実現機能は、構成可能なＩＭＳサービスを提供するが、そのような構成可能なサービスは、通常、パケット交換接続モバイル局によって容易に構成可能であるのみである。
【０００７】
ＩＭＳの集中型サービスを構成している回線交換式モバイル局、つまり、ＩＣＳ  ＵＥに対して、従来利用可能な構成スキームは、さまざまな問題を表す。回線交換モバイル局がＩＭＳサービスを構成することを可能にする１つの方法は、モバイル局のユーザに顧客サービスエンティティとの呼び出し接続を形成するように要求する。そして、代わりに、顧客サービスエンティティは要求された行動を実行し、それによってＩＭＳサービスを構成する。しかしながら、顧客サービスエンティティへの呼び出しは、一般にコスト高であり、どんな場合でも、顧客サービスコストを通常切り詰めようとするオペレータの目標とは一致しない。ＩＭＳサービスを構成する他の従来の方法において、回線交換モバイル局のユーザは、パケット交換接続あるいはＵｔインターフェイスのような他のインターフェイスを介してウェブブラウザを使用する。しかしながら、この手順の使用は、パケット交換接続の利用可能性を要求する。いくつかの状況においては、パケット交換ネットワーク接続は、利用できないか、あるいは、方針またはユーザプリファレンスがパケット交換接続の使用を排除している。
【発明の概要】
【発明が解決しようとする課題】
【０００８】
従って、回線交換モバイル局がＩＭＳサービスを構成するように提供する既存の方法は、不適当である。回線交換モバイル局がＩＭＳサービスを構成することを可能にする改善された方法は、従って利点がある。
【０００９】
通信システムにおいてＩＭＳサービスに関したこの背景情報に照らして、本発明の重要な改善が発展した。
【課題を解決するための手段】
【００１０】
本発明は、従って、装置および関連する方法を有利に提供し、それによって、ＩＭＳホスト通信サービスを回線交換無線デバイスに提供する。
【００１１】
本発明の実施形態の動作を通して、回線交換無線デバイスがＩＭＳサービスを構成することを可能にする方法が提供されている。
【００１２】
無線デバイスは、始動メッセージの生成と送信とを通じて、ネットワークサービス関連情報の管理を始動する。始動メッセージは、例えば、ＵＳＳＤメッセージ、ＳＭＳメッセージ、あるいは、他の適切なメッセージを含む。ネットワークに配信されたとき、メッセージはデコードされＸＣＡＰメッセージを形成する。ＸＣＡＰメッセージは、ＩＭＳサービスが構成される関連したサービスノードによって使用され得る。
【００１３】
本発明の１つの態様では、ＩＭＳサービスに従って利用されるべき無線デバイスは、回線交換接続で接続される。無線デバイスであるＩＭＳ回線交換ユーザ機器（ＩＣＳ  ＵＥ）は、ＵＳＳＤ、あるいは、通信システムのネットワーク部分への無線空中インターフェイスの方法によって送信される他の適切なメッセージを生成する。ＵＳＳＤあるいは他のメッセージは、ネットワークエンティティがネットワークサービス関連情報の管理を実行するための十分な情報を含んでいる。必要ならば、ネットワークエンティティによって必要とされる情報を一緒に含む複数のメッセージが形成される。
【００１４】
本発明の他の態様では、モバイル起源のＵＳＳＤあるいは他のメッセージが通信システムの、送受信基地局のようなネットワーク部分において検出される。メッセージは、モバイル交換センタ（例えば、ＶＭＳＣ（Ｖｉｓｉｔｅｄ  Ｍｏｂｉｌｅ  Ｓｗｉｔｃｈｉｎｇ  Ｃｅｎｔｅｒ）およびネットワークノード上で）のような方法によって、ＨＳＳ（Ｈｏｍｅ  Ｓｕｂｓｃｒｉｂｅｒ  Ｓｅｒｖｅｒ）ＵＳＳＤルータ、サービスセンタあるいは他の適切なネットワークノードで形成されているネットワークノードにルーティングされる。代わって、ノードは、他のメッセージ上でＵＳＳＤあるいは、ＣＡＡＦ／ＩＣＣＦのような他のネットワークノードに転送し、ＣＡＡＦ／ＩＣＣＦは代わりに、ＩＣＣＦのＣＡＡＦの方法によってメッセージ上で適切な関連したサービスノードに転送する。ＵＳＳＤルータは、メッセージを検査する能力を有するデバイスを含み、ＵＳＳＤメッセージを検出すると、適切なネットワークノードへのメッセージのルーティングを起こす。
【００１５】
本発明の他の態様では、ＵＳＳＤあるいは他のフォーマットのメッセージは、ＩＣＣＦあるいは他のネットワークエンティティにおいて受信されたとき、デコードされる。ＵＳＳＤあるいは他のメッセージは、デコードされ、関連したサービス（Ａｓｓｏｃｉａｔｅｄ  Ｓｅｒｖｉｃｅ；ＡＳ）ノードによって使用可能なフォーマットであるＸＣＡＰメッセージを形成する。ＡＳノード上にフォーマットされたとき、ＡＳノードは、ＸＣＡＰフォーマットメッセージの内容に応答して、ネットワークサービス関連情報の管理を実行するように動作する。
【００１６】
本発明の他の態様では、関連サービスノードは、ネットワークサービス関連情報の管理の実行が完了すると、あるいは適切なときに、ＸＣＡＰフォーマット応答メッセージを生成し、ＸＣＡＰフォーマット応答メッセージは、ＡＳノードによってＩＣＣＦのようなネットワークノードに送信される。
【００１７】
本発明の他の態様では、ＩＣＣＦのＣＡＡＦあるいは他のネットワークノードは、関連したサービスノードによってＵＳＳＤあるいは他のメッセージに進められたＸＣＡＰメッセージをエンコードする。必要ならば、エンコードは複数のＵＳＳＤあるいは他のメッセージを実行する。メッセージは、ひとたびエンコードされると、ホームネットワークのＨＳＳのような他のネットワークノード上に、その後、訪問したネットワークのＶＭＳＣ、ＵＳＳＤルータ、せービスセンタ等に進められ、その後無線空中インターフェイスの方法によって無線デバイスに通信される。
【００１８】
回線交換接続無線デバイスは、それによって、ＩＭＳ集中サービスを構成でき、それによって無線デバイスがそのように接続され、ＩＭＳサービスの性能に従って通信することを可能にする。ＩＭＳ集中サービスとして分類されたサービスは、ＵＥあるいはＩＣＳ  ＵＥが、ＣＳベアラーを用いてこのＩＭＳ集中サービスを消費する場合、ＣＳネットワークと互換な媒体を使用するのみである。
【００１９】
本発明の他の態様では、ＩＣＣＦ機能は、ｇｓｍＳＣＦ−ＨＬＲにおいて実施される。ＲＵＡ−ＡＳ機能は、また、ＩＣＣＦにおいて維持される。ＭＡＰ定義のエンティティであるｇｓｍＳＣＦ−ＨＬＲは、ＨＬＲとｇｓｍＳＣＦとの間のインターフェイスを含んでいる。
【００２０】
これらと他の態様では、従って、ＩＭＳ（ＩＰ  Ｍｕｎｔｉｍｅｄｉａ  Ｓｅｒｖｉｃｅ）の提供を容易にする装置および関連する方法が提供されている。ＵＥ生成の始動メッセージが検出される。始動メッセージはネットワークデコード可能な情報を有しており、その情報は、デコードされたとき、ネットワークサービス関連情報がＩＭＳサービスに属することを可能にする。始動メッセージ内で識別されたネットワークサービス関連情報の管理に応答して、始動応答メッセージが生成される。
【００２１】
本発明の他の態様では、タイマがＵＥにおいて、およびＩＣＣＦにおいて、あるいは他の適切なネットワークにおいて具現化される。タイマが、予期されたメッセージ配信あるいは応答が起きないでタイムアウトするとき、エラー条件が考慮され終了する。メッセージが再送され、あるいは調査が行われ、時間計測が再スタートする。選択された回数の再送およびタイマのタイムアウトの後、追加の試みは継続しない。選択された数（およびタイマー期間）は、例えば、ＳＭＳ、ＵＳＳＤ、ＧＰＲＳ、ＯＭＡデバイス管理等のようなＯＴＡ（ｏｖｅｒ  ｔｈｅ  ａｉｒ）信号送信を介して構成可能である。あるいは、選択された回数および／または、期間は、セル放送、ＭＢＭＳ放送、あるいは、ＳＤＣＣＨのような従来の放送チャネル上の放送のような方法によってＵＥに放送される。
【００２２】
これらのおよび他の態様では、さらなる機器および関連する方法が、ＵＭＳサービスのＵＥへの提供を容易にするために提供されている。少なくとも１つの始動メッセージがユーザ機器から送信される。始動メッセージは、ネットワークデコード可能な情報を有しており、デコードされたとき、ネットワークサービス関連情報の管理がＩＭＳサービスに属することを可能にする。少なくとも１つの始動応答メッセージがユーザ機器において受信される。始動応答メッセージは、始動メッセージの中のネットワークサービス関連情報の管理に応答して生成される。
【図面の簡単な説明】
【００２３】
【図１】図１は、本発明の１つの実施形態が具現化されている無線通信システムの機能ブロックダイアグラムを例示している。
【図２−１】図２−１は、本発明の実施形態の動作の間に生成された信号送信を表すメッセージ手順ダイアグラムを例示している。
【図２−２】図２−２は、本発明の実施形態の動作の間に生成された信号送信を表すメッセージ手順ダイアグラムを例示している。
【図３】図３は、図１に示された通信システムのネットワーク部分のパーツの機能ブロックダイアグラムを例示している。
【図４】図４は、図３に示されたものと同様な機能ブロックダイアグラムを例示しているが、本発明の他の実施形態に従うネットワーク部分のパーツを示している。
【図５】図５は、図３−図４に示されたものと同様な機能ブロックダイアグラムを例示しているが、本発明の他の実施形態を示している。
【図６】図６は、図３−図５に示されたものと同様な機能ブロックダイアグラムを例示しているが、本発明の他の実施形態を示している。
【図７】図７は、図３−図６に示されたものと同様な機能ブロックダイアグラムを例示しているが、本発明の他の実施形態を示している。
【図８】図８は、例示的ＩＣＳ  Ｕｓｅｒ  Ｄａｔａ構造の表示を例示している。
【発明を実施するための形態】
【００２４】
最初に図１を参照して、通常１０で示されている無線通信システムが、ユーザ機器（ＵＥ）１２が示されている無線デバイスとの無線通信を提供する。ユーザ機器との通信は、無線空中インターフェイス１４上で通信される無線信号通信の方法によって実行される。信号の通信とそれらの通信の他の態様とに関連したプロトコルは、標準設定本体によって公布された動作標準に述べられている。
【００２５】
通信システムのネットワーク部分は、無線アクセスネットワーク（Ｒａｄｉｏ  Ａｃｃｅｓｓ  Ｎｅｔｗｏｒｋ；ＲＡＮ）１６およびコアネットワーク（Ｃｏｒｅ  Ｎｅｔｗｏｒｋ；ＣＮ）２２を含んでいる。ネットワークは、また、標準設定本体によって公布された適切な動作仕様に一致するように構築されている。
【００２６】
ユーザ機器１２は、送受信回路を含んでおり、本明細書では、無線空中インターフェイス上での無線信号の送信と受信とを提供する送信部２６および受信部２８によって表されている。ユーザ機器は、モバイル機器部分（例えば、送受信回路を含む部分）と、一般には取り外し可能にモバイル機器部分に接続可能であるメモリデバイスを有するＵＩＣＣ（Ｕｎｉｖｅｒｓａｌ  Ｉｎｔｅｇｒａｔｅｄ  Ｃｉｒｃｕｉｔ  Ｃａｒｄ）あるいは類似のものとを含む。ユーザ機器は、任意のさまざまな動作モードの能力があり、ここでは、通信システムのネットワークを有する回線交換通信サービスに従って、ユーザ機器は少なくとも回線交換接続を形成する能力がある。前に注解したように、回線交換接続に接続された場合であっても、ユーザ機器のユーザは、パケット交換、ＩＭＳ（ＩＰ  Ｍｕｌｔｉｍｅｄｉａ  Ｓｕｂｓｙｓｔｅｍ）サービスに従って、ユーザ機器を利用することを望む可能性がある。また、前に注解したように、回線交換接続へのＩＭＳサービスの構成を可能にする従来の機構が、通信システムのネットワーク部分のオペレータへなされる呼び出しを要求する、あるいは、ウェブベースの通信を要求する。ネットワークオペレータとの呼び出し接続の構成が、ネットワークオペレータが呼び出しを受信することによって補佐することを要求するので、この手順は、ネットワークオペレータには比較的コスト高である。そして、ウェブベースの通信は、ネットワーク展開問題、契約あるいはオペレータの方針、あるいはユーザプリファレンスが原因で、ユーザ機器が常に利用できるわけではない。
【００２７】
従って、本発明の実施形態のユーザ機器は、本発明の実施形態の装置２８を含む。装置２８は、プロセッシング回路によって実行され得るアルゴリズムを含む任意の所望の方法で機能的に表され実装され得る。本明細書に示されている装置は、始動メッセージ送信部３２と、始動応答メッセージ受信器３６とを含む。始動メッセージ送信部は、ユーザ機器の送受信回路の送信部分に結合されており、始動応答メッセージ受信器３６は、送受信回路の受信部分に結合されている。タイマ３８は、機能３２および３６に結合されている。
【００２８】
無線アクセスネットワークが、送受信基地局（Ｂａｓｅ  Ｔｒａｎｓｃｅｉｖｅｒ  Ｓｔａｔｉｏｎ；ＢＴＳ）４２、Ｖｉｓｉｔｅｄ  Ｍｏｂｉｌｅ  Ｓｗｉｔｃｈｉｎｇ  Ｃｅｎｔｅｒ（ＶＭＳＣ）４４、および、Ｈｏｍｅ  Ｓｕｂｓｃｒｉｂｅｒ  Ｓｅｒｖｅｒ（ＨＳＳ）４８を含んで示されている。ＨＳＳは、例えば、サービスプロファイル格納、認証、サービス提供および課金を含む加入者管理を含むさまざまな機能を実行する。コアネットワークがＩＣＣＦを含んで示されている。従来の方法では、通信システムのネットワーク部分は他の構造およびエンティティを含むが、単純化の目的のために示されていない。関連サービスノード５６がさらに示され、ＩＣＣＦとの通信接続に配置可能である。図１に示されているネットワークエンティティのそれぞれは、ネットワークノードを形成する。例示的実装の本明細書における記述は、ＶＭＳＣ、ＨＳＳ，およびＩＣＣＦを示しているが、より一般には、エンティティは、メッセージがネットワークノードへあるいはネットワークノードを通してルーティング可能であるネットワークノードを含む。また、本明細書に記述された例示的実装はＵＳＳＤメッセージを利用するが、他の実装では、ＳＭＳメッセージのような他のメッセージが利用される。そのような他の実装では、適切な構造およびエンティティが利用される。例えば、ＳＭＳメッセージはＳＭＳサービスセンタにルーティングされ、通信システムのネットワーク部分は対応してそのようなエンティティを含む。
【００２９】
ＩＣＣＦは、また、本発明の実施形態の装置５６を含む。装置５６は、機能エンティティで形成されており、任意の所望の方法で実装可能であり、プロセッシング回路によって実行可能であるアルゴリズムを含んでいる。ここで、装置５６が示されており、検出器５８、デコーダ６２、およびエンコーダ／メッセージ生成器６４を含んでいる。装置は、また、機能６４に結合されたタイマ６６を含んでいる。装置５６は、例示的実装では、ＩＣＣＦに実装されているが、他の実装では、装置のエンティティの機能は、複数のエンティティの間に分散されることを含んで、どこにでも配置される。
【００３０】
本発明の実施形態の動作は、回線交換接続ユーザ機器を有するＩＭＳサービスのパフォーマンスを容易にする。ユーザ機器のユーザは、ユーザ機器との通信サービスのパフォーマンスを提供するＩＭＳ構成の始動を起こす。ＩＭＳ関連サービス構成の例は、転送電話情報、音声メールパラメータ等を含んでいる。
【００３１】
詳細には、ユーザは、ユーザインターフェイス（分離しては示されていない）のアクチュエータの作動のような方法によって、始動メッセージ送信器３２の動作を起こす。始動メッセージ送信は、ＵＳＳＤ、ＳＭＳあるいは、ネットワークサービス関連情報の始動を提供する他のメッセージを発生し送信部に提供する。
【００３２】
本発明の実施形態に従って発生されたＵＳＳＤメッセージで使用される例示のコーディングは、ＩＭＳ集中型サービスに対して規定されたビット１１０１のコーディンググループを形成するフラグを含んでいる。１つの実装におけるこれらの使用は、次のようになる。
【００３３】
【化１】
2010530200.tif 000003
【００３４】
【化２】
2010530200.tif 000004
送信部分は、無線空中インターフェイスの方法によって、メッセージを送信し、メッセージは通信システムのネットワーク部分に配信される。メッセージは、無線アクセスネットワークを通って、装置５６が具現化されているネットワークノード（ここでは、ＩＣＣＦ５２）上にルーティングされる。検出器５８は、配信されたメッセージを検出し、デコーダ６２は配置されたメッセージをデコードしてＸＣＡＰあるいは他の適切なメッセージを形成する。ひとたびデコードされＸＣＡＰメッセージを形成すると、メッセージは、関連サービスノード５４に進められる。ＸＣＡＰフォーマットされたメッセージは、関連サービスノードによって使用され得、関連サービスノード５４に進められたとき、ＩＭＳ集中型サービスあるいは他のサービスを構成あるいは再構成する。
【００３５】
関連サービスノードは、代わって、ＸＣＡＰフォーマットされたメッセージを、応答して形成し、ＸＣＡＰメッセージをエンコーダ／メッセージ生成器６４に進める。エンティティ６４は、ＸＣＡＰメッセージをＵＳＳＤ（あるいは他の）形式にエンコードし、無線アクセスネットワークおよび無線空中インターフェイスの方法によって、ユーザ機器１２に進める。通常、ＸＣＡＰは、対応するＧＥＴ，ＰＵＴ，ＰＯＳＴ、およびＤＥＬＥＴＥ  ＨＴＴＰメッセージ内のＵＲＬおよびＸＭＬドキュメントの交換を実行する。いくつかの状況では、ＵＲＬは長い。同様に、いくつかの状況において、ＸＭＬドキュメントは冗長である。ＸＣＡＰに格納されている情報がＵＳＳＤメッセージ、ＳＭＳメッセージあるいは同様なものに適合するために、圧縮が時々有利に利用される。３ＧＰＰドキュメントＴＳ２３．０４で述べられたような圧縮は、ネットワークおよびＵＥにおいて委任された辞書と結合されて、通信された情報の圧縮と回復とを容易にする。始動応答受信器は、ＵＳＳＤ（あるいは、他の）メッセージのユーザ機器の受信部分２６への配信を検出し、ＩＭＳ通信サービスに従って、ユーザ機器において実行されるべきさらなるＩＭＳ通信機能を提供する。
【００３６】
それによって、回線交換接続されたＵＥは、ＩＭＳ通信サービスによって提供されている。
【００３７】
次に図２−１に移ると、７４として示されているメッセージ手順ダイアグラムが本発明の実施形態の動作に従って発生された信号を表している。ダイアグラムに表示された信号は、図１に示された通信システムに対応する通信システムの動作に従って発生された信号に対応しているが、他の実装では、発生された信号は類似しているがそのような他の実装の構造的エンティティに対応している。通常、ネットワークエンティティはネットワークを表している。まず、そしてセグメント８４で示されているように、ＵＳＳＤあるいは他のメッセージがユーザ機器で発生され、セグメント８４で示されているように、ＶＭＳＣ４４へのルーティングのためにネットワークに送信される。タイマ３５のようなタイマは、計時を始める。タイマは、例えば前に記述したように動作可能である。タイマは構成可能なタイムアウト期間を示し、適切な応答の検出がないとき、構成可能な回数までセグメント８４によって示されているメッセージの再送を起こす。必要ならば、複数の始動メッセージが発生される。ユーザ機器は、ＩＣＣＰのために十分な情報がＵＳＳＤフォーマットされたメッセージのＸＣＡＰフォーマットされたメッセージへの後続のデコーディングを可能にするようにエンコードする。必要ならば、残りのメッセージが、ＵＥ起源の始動メッセージに含まれるデータフィールドの数を含んでいるので、ＵＥが喚起され残りのメッセージを送信する。複数のＵＥ起源の始動メッセージが同じＵＳＳＤトランザクションに送信され得る。合計Ｎフィールドまでであり、ここで、Ｎは１２８であり得る。最上位のビットが設定されると、７つの連続ビットが、ＵＥ起源の始動メッセージにおけるデータフィールドの数として解釈されるべきであることに注意が必要である。そうでなければ、３つの連続ビットがＵＥ起源の始動メッセージのデータフィールドの数として解釈されるべきである。残りの３ビットあるいは７ビットは、例えば、最上位のビットを最初にビッグエンディアン順にエンコードされる。ＵＳＳＤメッセージは、ＶＭＳＣによってＨＳＳ４８に、セグメント８６で示されているように進められる。メッセージは、メッセージをＵＥのホームネットワークに通信する標準ＶＭＳＣ手順に従って進められる。ブロック８８および９２で示されているように、関連するＵＳＳＤアプリケーションが、メッセージがあるとすぐに実行され、ＵＳＳＤを受信する能力のあるネットワークノード（例えば、ｇｓｍＳＣＦ）にメッセージをルーティングする判定がなされる。
【００３８】
その後、セグメント９４で示されているように、ＵＳＳＤメッセージはＩＣＣＦ上に進められる。セグメント８４、８６、および９４で示されているように、メッセージはリクエストタイプに加えて、メッセージとＩＭＳサービスに関連した他のパラメータを含む。
【００３９】
ＩＣＣＦに配信された場合、ＵＳＳＤあるいは他のメッセージがデコードされＸＣＡＰメッセージを形成する。そして、ＸＣＡＰメッセージは、セグメント１０２で示されているように、関連したサービスノードに進められる。タイマ６６のようなタイマは、計時を始める。タイマは、例えば前に記述したように動作可能である。タイマは構成可能なタイムアウト期間を有し、構成可能な回数までＸＣＡＰの再送を起こす。
【００４０】
ＸＣＡＰメッセージの受信に続いて、関連したサービスノードが、セグメント１０６によって示されているＸＣＡＰ応答メッセージを発生し、ＸＣＡＰ応答メッセージは、ＩＣＣＦにルーティングされる。検出されたとき、タイマは停止される。ＩＣＣＦは、ブロック１０８で示されている、ＸＣＡＰメッセージをエンコードし、ＵＳＳＤあるいは他のメッセージを形成する。そして、ひとたびＵＳＳＤあるいは他のフォーマットにエンコードされると、メッセージは、セグメント１１２、１１４によって示されているように、ネットワークを通じて、かつ、セグメント１１６によって示されているように、空中インターフェイス上でユーザ機器にルーティングされる。そして、ＵＥにおいて検出された場合、そのタイマは停止される。ＩＣＣＦにおいて、ＣＡＡＦは、ＸＣＡＰメッセージのＳＣＡＰコンテンツを１つ以上のＵＳＳＤメッセージにエンコードする。標準サービスノード手順が使用され、ＵＳＳＤメッセージをＨＳＳ４８に通信し、標準手順が、ＨＳＳおよびＶＭＳＣにおいて実行され、メッセージをユーザ機器に通信する。
【００４１】
図２の例示的信号に示されているＵＳＳＤメッセージ８４は、ＩＭＳ集中型サービスを構成あるいは再構成することに必要とされる情報を含んでいる。一般には、ＩＭＳサービスにおいて、Ｕｔ基準点がＸＣＡＰプロトコルを格納しており、ＩＭＳサービスを構成するために使用される。ＩＭＳ集中型サービスは、また、ＩＭＳサービスであり、ＸＣＡＰプロトコルを使用して構成されている。ＸＣＡＰは、ＨＴＴＰ上で実行され、ＸＣＡＰメッセージ内に格納されるべきＩＭＳサービスの標準化は、進行中である。
【００４２】
装置２８および５６のタイマ３８および６６は、選択された期間をタイムアウトするように動作する。例えば、ネットワークあるいはＡＳ５４からの応答の配信がない場合、異常な状態が警告される。メッセージの再送あるいは他の異常動作が始まる。
【００４３】
図２−２は、図２−１に示されたものと同様であり、ここではメッセージシーケンスダイアグラム１１７が示されており、ネットワークノード４８によってＩＣＳ  ＵＥ１２に返された追加のＵＳＳＤ受領（ＵＳＳＤ  ＡＣＫ）メッセージ１１８および１１９があるだけで、図２−１に示されたものと同等である。受領メッセージは、メッセージ１１４および１１６（ネットワーク始動ＵＳＳＤメッセージ）の前の任意の時間に返される。そして、図２−２は、セグメント１２０および１２１によって示されているように、ＵＥ１２が、ネットワーク始動ＵＳＳＤに受領信号を発生し送信することをさらに示す。
【００４４】
図３は、通常１２２で示される機能ブロックダイアグラムを例示しており、図１に示された無線通信システム１０の様々なエンティティを表している。ここでは、再び、ＩＭＳ  Ｃｉｒｃｕｉｔ−Ｓｗｉｔｃｈｅｄ  ＵＥ（ＩＣＳ  ＵＥ）として識別されているユーザ機器が再び示されており、Ａ／Ｉｕリンクの方法によってＶＭＳＣ４４に接続されている。ＨＳＳ４８、ＩＣＣＦ５２、およびＡＳ５４もまた示されている。ＩＣＣＦは、ＣＡＡＦ１２４およびＲＵＡ−ＡＳ１２６を含んでいる。ＣＡＡＦ１２４は、ＵＳＳＤ信号のためにＨＳＳ４８に向かうＭＡＰ／ｇｓｍＳＣＦ−ＨＬＲインターフェイスを示している。ＩＣＣＦ機能は、ＵＳＤハンドリングに対するＣＡＡＦの包含がないだけで、以下に記述されるＩ１−ｐｓアプローチと本質的に同等である。ダイアグラム１２２は、また、ＭＧＣＦ１２８およびＣＳＳＦ１３２を含んでいる。
【００４５】
ＵｔインターフェイスがＡＳ５４とＩＣＣＦとの間に形成されており、ＩＳＣ、Ｍａ、およびＳｈインターフェイスがＩＣＣＦと、ＣＳＣＦおよびＨＳＳとの間にそれぞれ延びている。そして、ＭＡＰおよびＩＳＵＰインターフェイスがＶＭＳＣと、ＨＳＳおよびＭＧＣＦとの間にそれぞれ延びている。図３に示されているＩＣＣＦ５２の実現は、未登録のユーザソリューションであるＩ１−ｃｓを形成する。
【００４６】
図４は、また、１２２として示されている機能ブロックダイアグラムを例示しており、図３に示されている通常参照されているエンティティを再び例示している。図４に述べられたダイアグラムはＩ１−ｃｓアプローチＩ２の実現に用いられる登録ユーザソリューション−ＩＳＣモデル、つまり、回線交換アクセスを介するＩＭＳ登録を示しており、開始および終了手続がＩＳＣインターフェイスの上に延びている。再び、ＩＣＣＦ５２のＣＡＡＦ１２４が、ＵＳＳＤ信号のためにＨＳＳに向かうＭＡＰ／ｇｓｍＳＣＦ−ＨＬＲインターフェイスを提示している。
【００４７】
図５は、本発明の他の実施形態に従った再び１２２として示されている機能ブロックダイアグラムを例示しており、図１に示されている通信システム１０を表している。エンティティは、通常参照されている前の図に示されているものである。この実装では、アプリケーションサーバアプローチが表されている。ＩＣＣＦはＩＭＳアプリケーションサーバとして実現されており、Ｉ１−ｃｓおよびＩ１−ｐｓの両方のためのＳ−ＣＳＣＦへのＩＳＣインターフェイスを有している。このモードでは、ＩＣＣＦはｉＦＣを介して、発信呼の非常に初めのＳＩＰ  ＡＳおよび、終了呼の最後のＳＩＰ  ＡＳとして（つまり、アクセスに最も近いとして）呼び出される。ＶＣＣアプリケーションサーバは、発信呼の２番目あるいは、終了呼の最後のいずれかである。
【００４８】
図６は、再び、本発明の他の実施形態の実装を表す他の機能ブロックダイアグラム１２２を例示している。ダイアグラム１２２は、再び、通常参照されているエンティティを含んでおり、前の図に示され記述されている。図６に示されているダイアグラムは、ＩＣＣＦのＩＭＳアダプタモデルを表しており、ＷＭｗ基準点およびＩ１−ｃｓのためのＩＳＣのみを有している。つまり、ＩのＩＣＣＦとＣＳＣＦとの間の基準点への他の実装では、登録のルーティングのためのＩ−ＣＳＣＦおよびＳ−ＣＳＣＦへのＭｗ基準点を有しており、発信呼および終了呼のルーティングのためのＩＣＳのＭｗ基準点を有する。このモードでは、ＣＳアクセスを介してＩＣＳ  ＵＥから遠隔に制御されたＩＭＳ  ＵＥ（つまり、ユーザ接続されたＩＣＳ）として働き、ＩＣＣＦが知覚される。ＰＳＹルーティングが回線交換ドメインからＩＣＣＦへの呼をルーティングするために使用される場合、ＩＳＣおよびＭａ基準点がＩ１基準点を実現するために使用される。
【００４９】
図７は、１２２で示されている機能ブロックダイアグラムを再び例示しており、通信システム１０の様々なエンティティも表している。再び、通常参照されているエンティティを含んでおり、前の図に示され記述されたものに対応している。図７に示されているダイアグラムは、Ｉ１−ｃｓおよびＩ１−ｐｓに対するＩＭＳアダプタアプローチを表している。
【００５０】
ＭｗおよびＩ１−ｃｓのためのＩ２に対するＩＳＣを有するＩＣＣＦは、また、Ｉ１−ｐｓに対しても使用される。Ｍｗインターフェイスは、回線交換アクセス上でのＩＭＳ登録の提供に使用される。Ｉ１−ｐｓに対しては、ＩＳＣインターフェイスのみが、パケット交換アクセスを介して確立されたＩＭＳセッションの経路へのＩＣＣＦの挿入のために使用され、ユーザが、ＧＭ基準点を介してＩＭＳに登録される。Ｉ１−ｃｓに対しては、ＳＩＰ  ＵＡの挙動がＳ−ＣＳＣＦにＵＥのために提示され、ＩＳＣインターフェイスが、ベアラーの制御信号経路の確立のために使用される場合、Ｍｗインターフェイスが登録のために使用され、ＩＣＣＦに関連する発信と終了のためにＭｗあるいはＩＦＣが使用される。ＩＣＣＦは、Ｉ−ＣＳＣＦに向かうＭａ基準点を提示し、Ｓ−ＣＦＣＳに向かうＩＳＣ基準点が、回線交換ドメインからＩＣＣＦへの呼のＰＳＩルーティングのために使用される。ＩＣＣＦのＣＡＡＦは、ＵＳＳＤ信号に対するＨＳＳに向かうｇｓｍＳＣＦ−ＨＬＲインターフェイスを提示する。
【００５１】
ＸＣＡＰプロトコルコンテンツは、上述のように、ＵＳＳＤ、ＳＭＳ、あるいは、ＵＥによって発生されるような他のメッセージに含まれる。ユーザ−ユーザプロトコルコンテンツは、標準Ｌ３メッセージの非命令的部分のように構成され、タイプ１，２，３および４の情報要素の変数を含んでいる。異なるフォーマット（例えば、ＴＶおよびＴＬＶフォーマット）と情報のカテゴリ、（例えば、タイプ１，２，３および４）は、技術仕様書番号３ＧＰＰ  ＴＳ  ２４．００７［Ｉ２］に述べられている。ＩＣＳプロトコルコンテンツ内では、情報要素は任意の順序で起こり得、情報要素は一度のみ含まれる必要がある。それぞれの情報要素は１つ以上のオクテットで形成される。
【００５２】
ＩＭＳ集中型要求は、前に注解したように、単トランザクションの複数のＵＳＳＤ要求に渡り、ＩＣＳ  Ｕｓｅｒ  Ｄａｔａの構造が、図８に示されている。
【００５３】
ユーザデータアイテム（ＵＤＩ）の総数は、１２８を超えられない。最上位ビットがＵＤＩに設定される場合、ＵＤＩは連続した８ビット（１オクテット）を使用する。そうでなければ、ＵＤＩは連続した４ビット（１／２オクテット）を使用する。残りの３あるいは７ビットは、例えば最上位ビットを最初に、ビッグエンディアン順にエンコードされる。
【００５４】
例えば、整数値０ｘ０Ａが、１オクテット０ｘ８Ａにエンコードされ得、整数値０ｘ０６は４つの連続したビット０ｘ０６にエンコードされ得る。
【００５５】
一意的な情報要素識別子（Ｉｎｆｏｒｍａｔｉｏｎ  Ｅｌｅｍｅｎｔ  Ｉｄｅｎｔｉｆｉｅｒｓ；ＩＥＩ）の総数は、２５６を超えない。ＩＥＩに依存して、情報要素データ長（Ｉｎｆｏｒｍａｔｉｏｎ  ｅｌｅｍｅｎｔ  Ｄａｔａ  Ｌｅｎｇｔｈ；ＩＥＤＬ）および／または、情報要素データ（Ｉｎｆｏｒｍａｔｉｏｎ  ｅｌｅｍｅｎｔ  Ｄａｔａ；ＩＥＤ）が存在しない可能性がある。ＩＥＤＬのデータタイプは、ｕ＿ｉｎｔ８（８ビットの符号なし整数）あるいは、多バイト整数形式でエンコードされたｍｂ＿ｕ＿ｉｎｔ３２（１ビットの符号なし整数）であり得る。
【００５６】
多バイト整数は、一連のオクテットからなり、最上位ビットは継続フラグであり、残りの７ビットはスカラー値である。継続フラグは、オクテットが多バイト連続の終わりではないことを示す。単整数値は、Ｎオクテットの連続値にエンコードされる。初めのＮ−１オクテットは、値１に設定された継続フラグを有している。一連のものの最後のオクテットは、値０の継続フラグを有している。各オクテットの残りの７ビットは、例えば最上位ビットを最初に、ビッグエンディアン順にエンコードされる。オクテットは、ビッグエンディアン順にエンコードされ、例えば、最上位の７ビットが最初に送信される。初期のオクテットが７ビットの値よりも少ない値を有している状況では、すべての未使用ビットは、ゼロ（０）に設定されなければならない。例として、整数値０ｘＡ０は、２バイトの連続値０ｘ８１０ｘ２０にエンコードされる。整数値０ｘ６０は、１バイトの連続値０ｘ６０にエンコードされる。
【００５７】
ＩＥＤのタイプは、対応するＩＥＩによって示される。要求／応答ＩＥＩおよび関連するＩＥＩでさらに分離されたものについて、表が考えられる。パーサは、続けてＵＳＳＤ／ＳＭＳペイロードを読む。つまり、
要求ＩＥＩ、そのＩＥＤＬおよびＩＥＤを読む（つまり、ＸＣＡＰ＿ＧＥＴ、ＸＣＡＰ＿Ｐｕｔ、ＸＣＡＰ＿ＰＯＳＴ、ＸＣＡＰ＿ＳＴＡＴＵＳ＿ＣＯＤＥを読む）。要求ＩＥＩに、ＩＥＤＬが続き、オクテットが作り上げた、リソースＵＲＬとして解釈されＩＥＤでエンコードされるべきデータの数を示している。応答ＩＥＩに実際のステータスが続き、選択的なＸＣＡＰ＿Ｒｅａｓｏｎ＿Ｐｈｒａｓｅは見られなく、パーサは予め構成されたＲｅａｓｏｎ＿Ｐｈｒａｓｅを仮定し得る。
【００５８】
その後、より多くのＵＤＩがある場合、これに、関連したＩＥＩが続く。それ以上ＵＤＩがない場合、パーサは終了する。任意の予期されないＩＥＩは無視される。その後、他の応答／要求ＩＥＩの読み取りが起きると、直前に注解したように、パーサは再びその関連したＩＥＩを見つける。
【００５９】
例示の応答および要求エンコーディングコードは、次の表になる。
【００６０】
【化３】
2010530200.tif 000005
ＵＳＳＤペイロードは、標準ドキュメント３ＧＰＰ  ＴＳ  ２３．０４２で規定された圧縮アルゴリズムを用いて圧縮され、最適な圧縮のために、本質的には２５５文字までの長さのキーワードあるいはフレーズのリストである辞書に対するサポートが要求される。辞書は、デコーダでありコーダであると知られているべきである。入力ストリームは、再び辞書のエントリに整合され、ストリーム中の整合文字は、辞書エントリへの参照と置き換えられる。辞書はオペレータによって提供され、「ｈｔｔｐ」、「．ｃｏｍ」のような頻繁に生じる文字列に対する整合と、ＵＲＩのドメインフラグメントを文字列フラグメントの他の頻繁に生じる文字列を同じく含む。
【００６１】
それによって、本発明の実施形態の動作を通して、回線交換ユーザ機器はＩＭＳサービスを構成でき、ＩＭＳサービスがユーザ機器に提供される。
【００６２】
現在参照されている本発明の実施形態および多くの改良と利点が、綿密な程度で記述されてきた。記述は、本発明を実装することの好ましい例であり、好ましい例の記述は必ずしも本発明の範囲を制限する意図ではない。本発明の範囲は、以下の特許請求範囲によって規定される。
【図１】
2010530200.tif 000006
【図２−１】
2010530200.tif 000007
【図２−２】
2010530200.tif 000008
【図３】
2010530200.tif 000009
【図４】
2010530200.tif 000010
【図５】
2010530200.tif 000011
【図６】
2010530200.tif 000012
【図７】
2010530200.tif 000013
【図８】
2010530200.tif 000014
【手続補正書】
【提出日】平成21年12月17日(2009.12.17)
【手続補正１】
【補正対象書類名】明細書
【補正対象項目名】００２２
【補正方法】変更
【補正の内容】
【００２２】
これらのおよび他の態様では、さらなる機器および関連する方法が、ＵＭＳサービスのＵＥへの提供を容易にするために提供されている。少なくとも１つの始動メッセージがユーザ機器から送信される。始動メッセージは、ネットワークデコード可能な情報を有しており、デコードされたとき、ネットワークサービス関連情報の管理がＩＭＳサービスに属することを可能にする。少なくとも１つの始動応答メッセージがユーザ機器において受信される。始動応答メッセージは、始動メッセージの中のネットワークサービス関連情報の管理に応答して生成される。
（項目１）
ＩＭＳ（ＩＰ  Ｍｕｌｔｉｍｅｄｉａ  Ｓｕｂｓｙｓｔｅｍ）サービスの提供を容易にする方法であって、該方法は、
ＵＥ（Ｕｓｅｒ  Ｅｑｕｉｐｍｅｎｔ）生成の始動メッセージを検出することであって、該始動メッセージはネットワークデコード可能な情報を有しており、該情報は、デコードされた場合、ネットワークサービス関連情報の管理がＩＭＳサービスに属することを可能にする、ことと、
該検出動作の間に検出された始動メッセージ内で識別された、ネットワークサービス関連情報の管理に応答して、始動応答メッセージを生成することと、ことと
の動作を含む、方法。
（項目２）
前記検出動作の間に検出された前記ＵＥ生成の始動メッセージは、１つ以上のＵＳＳＤ（Ｕｎｓｔｒｕｃｔｕｒｅｄ  Ｓｕｐｐｌｅｍｅｎｔａｒｙ  Ｓｅｒｖｉｃｅ  Ｄａｔａ）を含む、項目１に記載の方法。
（項目３）
前記検出動作の間に検出された前記ＵＥ生成の始動メッセージは、要求タイプの識別を含む、項目１に記載の方法。
（項目４）
前記ＵＥ生成の始動メッセージは、デコードされたとき、ＸＣＡＰ（ＸＭＬ  Ｃｏｎｆｉｇｕｒａｔｉｏｎ  Ａｃｃｅｓｓ  Ｐｒｏｔｏｃｏｌ）メッセージを装着する、項目１に記載の方法。
（項目５）
前記ＵＥ生成の始動メッセージをデコーディングする前記動作をさらに含む、項目１に記載の方法。
（項目６）
前記デコーディングの動作は、ＵＥ生成の始動メッセージの辞書アシスト解凍を含む、項目５に記載の方法。
（項目７）
前記辞書アシスト解凍は、オクテット値をテキスト文字列にマッピングすることを含む、項目６に記載の方法。
（項目８）
空中（ＯＴＡ）信号発生に従った前記辞書アシスト解凍に従って使用される辞書を構成する動作をさらに含む、項目６に記載の方法。
（項目９）
前記ネットワークサービス関連情報の管理の動作をさらに含む、項目１に記載の方法。
（項目１０）
デコードされた場合、前記検出する動作に続いて、関連するサービスノードへＵＥ生成の始動メッセージを進める動作をさらに含む、項目１に記載の方法。
（項目１１）
前記生成の動作の間に生成された前記始動応答メッセージは、ＸＣＡＰ（ＸＭＬ  Ｃｏｎｆｉｇｕｒａｔａｉｏｎ  Ａｃｃｅｓｓ  Ｐｒｏｔｏｃｏｌ）メッセージを含む、項目１に記載の方法。
（項目１２）
前記ＸＣＡＰメッセージをエンコードする動作をさらに含む、項目１１に記載の方法。
（項目１３）
前記エンコードする動作は、前記ＸＣＡＰメッセージをＵＳＳＤ（Ｕｎｓｔｒｕｃｔｕｒｅｄ  Ｓｕｐｐｌｅｍｅｎｔａｒｙ  Ｓｅｒｖｉｃｅ  Ｄａｔａ）メッセージにエンコードすることを含む、項目１２に記載の方法。
（項目１４）
前記エンコードする動作は、前記ＸＣＡＰメッセージの辞書アシスト圧縮を含む、項目１１に記載の方法。
（項目１５）
前記検出動作の間に検出された前記ＵＥ生成の始動メッセージは、ＣＳ（回線交換）接続されたＵＥ生成始動メッセージを含む、項目１に記載の方法。
（項目１６）
前記ＩＭＳサービスは、ＩＭＳ集中型サービスを含む、項目１に記載の方法。
（項目１７）
前記ＵＥ生成始動メッセージの検出を受領確認する動作をさらに含む、項目１に記載の方法。
（項目１８）
ＩＭＳ（ＩＰマルチメディアサブシステム）サービスの提供を容易にする装置であって、該装置は、
ＵＥ（Ｕｓｅｒ  Ｅｑｕｉｐｍｅｎｔ）生成の始動メッセージを検出するように構成されている検出器であって、該始動メッセージは、ネットワークデコード可能な情報を有しており、デコードされた場合、ネットワークサービス関連情報の管理がＩＭＳサービスに属すことを可能にする、検出器と、
該検出器によって検出された始動メッセージ内で識別されたネットワークサービス関連情報の管理に応答して、始動応答メッセージを発生するように構成されている始動応答メッセージ生成器と
を含む、装置。
（項目１９）
前記ユーザ機器生成の始動メッセージをデコードするように構成されているデコーダをさらに含む、項目１６に記載の装置。
（項目２０）
前記ユーザ機器生成の始動メッセージは、ＵＳＳＤ（Ｕｎｓｔｒｕｃｔｕｒｅｄ  Ｓｕｐｐｌｅｍｅｎｔａｒｙ  Ｓｅｒｖｉｃｅ  Ｄａｔａ）メッセージを含み、前記デコーダは、該ＵＳＳＤメッセージをデコードし、ＸＣＡＰ（ＸＭＬ  Ｃｏｎｆｉｇｕｒａｔｉｏｎ  Ａｃｃｅｓｓ  Ｐｒｏｔｏｃｏｌ）メッセージを装着するように構成されている、項目１７に記載の装置。
（項目２１）
前記検出器によって検出された前記ユーザ機器生成始動メッセージは、回線交換ユーザ機器生成始動メッセージを含む、項目１８に記載の装置。
（項目２２）
前記始動応答メッセージ生成器によって生成された前記始動応答メッセージは、ＵＳＳＤ（Ｕｎｓｔｒｕｃｔｕｒｅｄ  Ｓｕｐｐｌｅｍｅｎｔａｒｙ  Ｓｅｒｖｉｃｅ  Ｄａｔａ）メッセージを含む、項目１８に記載の装置。
（項目２３）
前記始動応答メッセージ生成器は、ＩＣＣＦにおいて実施される、項目１８に記載の機器。
（項目２４）
ＩＭＳ（ＩＰ  Ｍｕｌｔｉｍｅｄｉａ  Ｓｕｂｓｙｓｔｅｍ）サービスのＵＥ（Ｕｓｅｒ  Ｅｑｕｉｐｍｅｎｔ）への提供を容易にする方法であって、該方法は、
少なくとも１つの始動メッセージを該ＵＥから送信する動作であって、該始動メッセージはネットワークデコード可能な情報を有しており、該情報は、デコードされた場合、ネットワークサービス関連情報の管理が該ＩＭＳサービスに属すことを可能にする、送信動作と、
少なくとも１つの始動メッセージを該ＵＥにおいて受信する動作であって、該始動応答メッセージは、該送信動作の間に送られた該始動メッセージ内で識別されたネットワークサービス関連情報の管理に応答して生成されている、受信動作と
を含む、方法。
（項目２５）
前記少なくとも１つの始動応答メッセージを受領する動作をさらに含む、項目２４に記載の方法。
（項目２６）
ＩＭＳ（ＩＰ  Ｍｕｌｔｉｍｅｄｉａ  Ｓｕｂｓｙｓｔｅｍ）サービスのＵＥ（Ｕｓｅｒ  Ｅｑｕｉｐｍｅｎｔ）への提供を容易にする装置であって、該装置は、
少なくとも１つの始動メッセージを送信するように構成された始動メッセージ送信部であって、該始動メッセージ送信部によって送信された該始動メッセージは、ネットワークデコード可能な情報を有しており、該ネットワークデコード可能な情報は、デコードされた場合、ネットワークサービス関連情報の管理がＩＭＳサービスに属すことを可能にする、始動メッセージ送信部と、
少なくとも１つの始動応答メッセージを受信するように構成された受信器であって、該始動応答メッセージは、該始動メッセージ送信器によって送信された該始動メッセージ内で識別されたネットワークサービス関連情報の管理に応答して生成されている、受信器と
を含む、装置。
【手続補正２】
【補正対象書類名】特許請求の範囲
【補正対象項目名】全文
【補正方法】変更
【補正の内容】
【特許請求の範囲】
【請求項１】
ネットワークによって回路交換接続されたユーザ装置（ＵＥ）デバイスへのＩＰマルチメディアサブシステム（ＩＭＳ）サービスの提供を容易にする方法であって、該方法は、
該ネットワークにおいて、ＵＥ生成メッセージを検出（５８）することであって、該メッセージはネットワークでデコード可能な情報を有しており、該情報は、デコードされた場合、ＩＭＳサービスを構築し運営するために関連付けられたサービスノード（５４）に転送する（１０２）メッセージを生成でき、該情報のコンテンツは、該関連付けられたサービスノード（５４）から、該ネットワークを介して該ＵＥデバイスに提供されるべき該ＩＭＳサービスの要求を表している、検出することと、
該ネットワークにおいて、ＵＥがデコード可能な情報を有する始動応答メッセージを該ＵＥデバイスに転送する（１１２，１１４，１１６）ためにエンコードする（１０８）ことであって、該エンコードすることは、該関連付けられたサービスノードにおける該転送された始動メッセージの受領に応答して、該関連付けられたサービスノードにおいて生成された応答メッセージ（１０６）を受領することに応答しており、該応答メッセージは、該関連付けられたサービスノードによって該ＵＥデバイスへの該ＩＭＳサービスの提供を容易にする、エンコードすることと
の動作を含む、方法。
【請求項２】
前記関連付けられたサービスノードにおいて応答して生成された応答メッセージを受領することは、ＸＣＡＰ（ＸＭＬ  Ｃｏｎｆｉｇｕｒａｔｉｏｎ  Ａｃｃｅｓｓ  Ｐｒｏｔｏｃｏｌ）メッセージを受領することをふくむ、請求項１に記載の方法。
【請求項３】
前記応答メッセージをエンコードすることは、前記ＸＣＡＰメッセージをＵＳＳＤ（Ｕｎｓｔｒｕｃｔｕｒｅｄ  Ｓｕｐｐｌｅｍｅｎｔａｒｙ  Ｓｅｒｖｉｃｅ  Ｄａｔａ）メッセージにエンコードすることを含む、請求項２に記載の方法。
【請求項４】
前記サービスノード応答メッセージをエンコードすることは、前記ＸＣＡＰメッセージの辞書アシスト圧縮を含む、請求項２に記載の方法。
【請求項５】
前記検出動作（５８）の間に検出されたＵＥ生成メッセージは、１つ以上のＵＳＳＤメッセージを含む、請求項１に記載の方法。
【請求項６】
前記検出動作（５８）の間に検出されたＵＥ生成メッセージは、要求タイプの識別を含む、請求項１に記載の方法。
【請求項７】
前記ＵＥ生成のメッセージは、デコード（６２）されたとき、ＸＣＡＰメッセージを生成する、請求項１に記載の方法。
【請求項８】
前記ＵＥ生成のメッセージをデコードする（６２）動作をさらに含む、請求項１に記載の方法。
【請求項９】
前記デコード動作（６２）は、前記ＵＥ生成メッセージの辞書アシスト解凍を含む、請求項８に記載の方法。
【請求項１０】
前記辞書アシスト解凍は、オクテット値をテキスト文字列にマッピングすることを含む、請求項９に記載の方法。
【請求項１１】
空中（ＯＴＡ）信号発生に従った前記辞書アシスト解凍に従って使用される辞書を構成する動作をさらに含む、請求項９に記載の方法。
【請求項１２】
前記ＩＭＳサービスは、ＩＭＳ集中型サービスを含む、請求項１に記載の方法。
【請求項１３】
前記ＵＥ生成メッセージの検出を受領確認する動作をさらに含む、請求項１に記載の方法。
【請求項１４】
ネットワークによって回路交換接続されたユーザ機器へのＩＰマルチメディアサブシステム（ＩＭＳ）サービスの提供を容易にするネットワークノード装置であって、該装置は、
ユーザ装置（ＵＥ）生成メッセージを検出するように構成された検出器（５８）であって、該メッセージはネットワークでデコード可能な情報を有しており、該情報は、デコードされた場合、ＩＭＳサービスを構築し運営するために関連付けられたサービスノード（５４）に転送するメッセージを生成でき、該情報のコンテンツは、該関連付けられたサービスノード（５４）から、該ネットワークを介して該ＵＥに提供されるべき該ＩＭＳサービスの要求を表している、検出器と、
該ネットワークにおいて、ＵＥがデコード可能な情報を有するエンコードされた応答メッセージを生成するように構成された応答メッセージ生成器（６４）であって、該エンコードすることは、該関連付けられたサービスノードにおける該転送された始動メッセージの受領に応答して、該関連付けられたサービスノードにおいて生成された応答メッセージを受領することに応答しており、該応答メッセージは、該関連付けられたサービスノードによって該ＵＥデバイスへの該ＩＭＳサービスの提供を容易にする、応答メッセージ生成器と
を含む、装置。
【請求項１５】
前記ＵＥ生成のメッセージをＵＳＳＤメッセージとして受領するように構成され、前記デコーダ（６２）は、該ＵＳＳＤメッセージをデコードし、前記ＸＣＡＰメッセージを生成するように構成されている、請求項１４に記載のネットワークノード装置。
【請求項１６】
前記検出器（５８）は、回路交換接続されたＵＥ生成のメッセージを検出するように構成されている、請求項１５に記載のネットワークノード装置（５６）。
【請求項１７】
前記応答メッセージ生成器（６４）は、ＵＳＳＤメッセージを生成するように構成されている、請求項１４に記載のネットワークノード装置（５６）。
【請求項１８】
前記応答メッセージ生成器は、ＩＣＣＦにおいて具現されている、請求項１４に記載のネットワークノード装置（５６）。
【請求項１９】
前記デコードされたＵＥ生成のメッセージからＸＣＡＰメッセージが生成されるように構成された、請求項１４に記載のネットワークノード装置（５６）。
【国際調査報告】
2010530200.tif 000015
2010530200.tif 000016